(57)【特許請求の範囲】
【請求項１】
電気脱イオン式水処理装置を備える燃料電池システムにおいて、前記電気脱イオン式水処理装置において副生成物として発生する水素および酸素を当該電気脱イオン式水処理装置から別々のラインから排出し、
前記燃料電池システムは、水素を含む水素含有電極水を気液分離するドレンポットをさらに備え、前記ドレンポットにより、前記電気脱イオン式水処理装置から排出される前記水素含有電極水を気液分離し、分離した水素を改質ガス生成用原料ガスの水添脱硫用の水素に利用することを特徴とする電気脱イオン式水処理装置の副生水素による水添脱硫方法。
【請求項２】
電気脱イオン式水処理装置を備える燃料電池システムにおいて、前記電気脱イオン式水処理装置において副生成物として発生する水素および酸素を当該電気脱イオン式水処理装置から別々のラインから排出し、
前記燃料電池システムは、水素を含む水素含有電極水を気液分離するドレンポットをさらに備え、前記ドレンポットにより、前記電気脱イオン式水処理装置から排出される前記水素含有電極水を気液分離し、分離した水素を改質ガス生成用原料ガスの水添脱硫用の水素に利用するようにしてなることを特徴とする電気脱イオン式水処理装置の副生水素による水添脱硫システム。
【請求項３】
電気脱イオン式水処理装置の副生水素による水添脱硫システムを備える燃料電池システムであって、前記電気脱イオン式水処理装置において副生成物として発生する水素および酸素を当該電気脱イオン式水処理装置から別々のラインから排出し、
水素を含む水素含有電極水を気液分離するドレンポットをさらに備え、前記ドレンポットにより、前記電気脱イオン式水処理装置から排出される前記水素含有電極水を気液分離し、分離した水素を改質ガス生成用原料ガスの水添脱硫用の水素に利用するようにしてなることを特徴とする電気脱イオン式水処理装置の副生水素による水添脱硫システムを備える燃料電池システム。
【発明の詳細な説明】
【技術分野】
【０００１】
本発明は、電気脱イオン式水処理装置の副生水素による水添脱硫方法及び水添脱硫システムに関し、より詳しくは、電気脱イオン式水処理装置を備える燃料電池システムにおいて、電気脱イオン式水処理装置から排出される水素を改質ガス生成用原料ガスの水添脱硫用の水素に利用する電気脱イオン式水処理装置の副生水素による水添脱硫方法、そのための水添脱硫システム及び、その水添脱硫システムを備える燃料電池システムに関する。
【背景技術】
【０００２】
水素製造用水蒸気改質プロセスでは、通常、原料ガスの脱硫、水蒸気改質、ＣＯ変成の３つのプロセスで構成されている。固体高分子形燃料電池（ＰＥＦＣ）の燃料である水素ではＣＯ濃度をさらに数ｐｐｍレベルにまで低減する必要があり、ＣＯ変成器に続きＣＯ除去器（ＣＯ選択酸化器）が必要である。水蒸気改質には水蒸気改質用の触媒が必要であるが、その触媒である水蒸気改質触媒は硫黄分に弱く、硫黄化合物により被毒して性能劣化を来たしてしまう。
【０００３】
そのため、改質ガス製造用の原料ガス、すなわち都市ガスや天然ガスなどの改質用炭化水素系燃料中の硫黄化合物は改質部に導入する前に除去する必要があり、硫黄化合物を除去するために脱硫器にかけられる。水素製造装置を連結したＰＥＦＣシステムに脱硫器を配置した態様では、上流側から順次、脱硫器、改質器、ＣＯ変成器、ＣＯ除去器、ＰＥＦＣが配置され、ＣＯ除去器を経た改質ガスがＰＥＦＣに供給される。
【０００４】
図１はＰＥＦＣシステムを実機として構成する場合の態様例を説明する図である。図１のとおり、脱硫器、改質器、ＣＯ変成器、ＣＯ除去器、ＰＥＦＣスタックに加え、関連する各種配管、ポンプ類などの補機類が必要である。特に家庭用等に供される小型実用機では起動−停止を繰り返しながら数年、あるいは１０年というように長期間にわたり運転される。また、実機用の脱硫器についても、長期間にわたり脱硫性能を維持し、再生や交換が必要でないか可及的に少ないことが望まれる。なお、ＰＥＦＣは燃料極−電解質膜（固体高分子膜）−空気極の３層構造で構成されるが、図１では電解質膜の記載は省略している。電力は燃料極及び空気極の両極側から取り出される。
【０００５】
都市ガスや天然ガスなどの原料ガスから硫黄分を除去する脱硫方式には酸化亜鉛方式、水添脱硫方式、あるいは吸着方式などがある。そのうち水添脱硫方式においては、Ｃｏ−Ｍｏ系やＮｉ−Ｍｏ系の水添脱硫触媒を用いてＣＯＳやメルカプタン類やＤＭＳ等のサルファイド類やチオフェン類などの硫黄化合物をすべて硫化水素に転化させる必要があり、さらに、硫化水素を酸化亜鉛（ＺｎＯ）や酸化鉄を用いて除去する必要がある。
【０００６】
一方、電気脱イオン式水処理装置は、電流により水中のイオンを連続的に処理する装置であるが、副生成物として水の電気分解による微量の水素および酸素が発生する。そのように発生する水素および酸素を処理する従来技術としては、特許文献１に記載のように、水素と酸素を触媒上で反応させて水に戻す方法がある。
しかし、これまで、その副生水素および／または酸素を、燃料電池システムにおいて利用する提案はなされていない。
【先行技術文献】
【特許文献】
【０００７】
【特許文献１】特開平０４−１６６２１５号公報
【特許文献２】特開平１１−２５３７４２号公報
【特許文献３】特開２０１０−０５８９９５号公報
【発明の開示】
【発明が解決しようとする課題】
【０００８】
図２は、電気脱イオン式水処理装置の１例として特許文献１に記載の装置を説明する図で、縦断面図として示されている。なお、電気脱イオン式水処理装置が半導体製造工業、製薬工業、あるいは食品工業などで必要な脱イオン水を製造するのに使用される場合には「電気脱イオン式水製造装置」と呼ばれている。
【０００９】
図２のとおり、カチオン交換膜１およびアニオン交換膜２を離間して交互に配置し、カチオン交換膜１とアニオン交換膜２との間で形成される空間内に１つおきにアニオン交換樹脂３とカチオン交換樹脂４を積層させて脱塩室５とする。なお、当該脱塩室５のそれぞれの隣に位置するアニオン交換膜２で形成され、イオン交換樹脂を充填していない部分は後述するごとく濃縮水を流すべき濃縮室６とする。
【００１０】
また、両端に陰極７と陽極８を配置し、両端の濃縮室６に必要に応じカチオン交換膜、アニオン交換膜あるいは隔膜等の仕切膜９を配設し、当該仕切膜９で仕切られた両電極７および８が接触する部分をそれぞれ陰極室１０および陽極室１１とする。このような電気脱イオン式水処理装置によって脱イオン水を製造する場合、以下のように操作される。
【００１１】
すなわち、陰極７と陽極８間に直流電流を通じ、被処理水流入口Ａから被処理水を流入させるとともに、濃縮水流入口Ｂから濃縮水を流入させ、かつ、電極水流入口ＣおよびＤからそれぞれ電極水を流入させる。被処理水流入口Ａから流入した被処理水は、実線で示した矢印のごとく各脱塩室５に流入、流下し、各イオン交換樹脂の充填層を通過する際に不純物イオンが除かれ、脱イオン水が脱イオン水流出口ａから得られる。
【００１２】
また、濃縮水流入口Ｂから流入した濃縮水は点線矢印で示したごとく、各濃縮室６を流下し、両イオン交換膜を介して移動してくる不純物イオンを受け取り、不純物イオンを濃縮した濃縮水として濃縮水流出口ｂから流出する。さらに、電極水流入口ＣおよびＤから流入した電極水は、それぞれ電極水流出口ｃおよびｄから流出する。
【００１３】
そのように、電気脱イオン式水処理装置は、電気の力により水中のイオンを連続的に処理できる装置であるが、副生物として水の電解による微量の水素および酸素が、それぞれ、陰極および陽極の濃縮水中に発生する。このため、燃料電池システムにおいて電気脱イオン式水処理装置を用いるためには、副生物である水素が可燃範囲とならないようにする工夫や定期点検時に可燃ガスとして検出されないような工夫が必要である。
【００１４】
電気脱イオン式水処理装置の陰極で発生する微量水素を処理する従来技術としては、水素と酸素を触媒上で反応させて水に戻す方法（特許文献１）があるが、これまでのところ、水素自体の有効利用、処理方法に関する検討は行われていない。
【００１５】
そこで、本発明は、電気脱イオン式水処理装置の陰極で発生する微量水素を有効利用する電気脱イオン式水処理装置の副生水素による水添脱硫方法、水添脱硫システム及びその水添脱硫システムを有する燃料電池システムを提供することを目的とする。
【００１６】
より詳しくは、ＰＥＦＣシステム等の燃料電池システムにおいて、電気脱イオン式水処理装置から排出される副生水素を水添脱硫に用いることで、水素の処理不要化によるシステムフローの簡素化や、低湿水素による脱硫剤選定候補の多様化を実現する電気脱イオン式水処理装置の副生水素による水添脱硫方法、そのための水添脱硫システム及びその水添脱硫システムを有する燃料電池システムを提供することを目的とするものである。
【発明の概要】
【課題を解決するための手段】
【００１７】
本発明（１）は、電気脱イオン式水処理装置を備える燃料電池システムにおいて、前記電気脱イオン式水処理装置において副生成物として発生する水素および酸素を当該電気脱イオン式水処理装置から別々のラインから排出し、前記排出水素を改質ガス生成用原料ガスの水添脱硫用の水素に利用することを特徴とする電気脱イオン式水処理装置の副生水素による水添脱硫方法である。
【００１８】
本発明（２）は、電気脱イオン式水処理装置を備える燃料電池システムにおいて、前記電気脱イオン式水処理装置において副生成物として発生する水素および酸素を当該電気脱イオン式水処理装置から別々のラインから排出し、前記排出水素を改質ガス生成用原料ガスの水添脱硫用の水素に利用するようにしてなることを特徴とする電気脱イオン式水処理装置の副生水素による水添脱硫システムである。
【００１９】
本発明（３）は、電気脱イオン式水処理装置の副生水素による水添脱硫システムを備える燃料電池システムであって、前記電気脱イオン式水処理装置において副生成物として発生する水素および酸素を当該電気脱イオン式水処理装置から別々のラインから排出し、前記排出水素を改質ガス生成用原料ガスの水添脱硫用の水素に利用するようにしてなることを特徴とする電気脱イオン式水処理装置の副生水素による水添脱硫システムを備える燃料電池システムである。
【発明の効果】
【００２０】
本発明（１）の電気脱イオン式水処理装置の副生水素による水添脱硫方法、本発明（２）の電気脱イオン式水処理装置の副生水素による水添脱硫システム、本発明（３）の電気脱イオン式水処理装置の副生水素による水添脱硫システムを備える燃料電池システムによれば、電気脱イオン式水処理装置の副生水素の処理を不要化し、システムフローを簡素化することができる。
【００２１】
（１）水添脱硫剤は、一般的に、硫黄化合物を含む被処理ガス中の水分（湿分）が多いと吸着性能が落ちることが知られている（特許文献２：特開平１１−２５３７４２号公報）。このため、硫黄化合物を含む被処理ガス中の湿分は少ない方がよいが、電気脱イオン式水処理装置で発生する副生水素は、従来燃料電池システムで水添脱硫用水素として使用することが考えられている改質ガス（特許文献３）と比較して湿分が少ないので、脱硫剤スルーの硫黄濃度すなわち、脱硫剤に吸着されずに通過する硫黄濃度を低減することができる。
【００２２】
（２）また、脱硫剤としては、亜鉛系酸化物、銅系酸化物および鉄系酸化物などが知られている。それらのうち、より安価である鉄系酸化物は、脱硫剤スルーの硫黄濃度が高く（すなわち脱硫剤に吸着されずに通過する硫黄濃度が高く）、燃料電池システムなど、高い脱硫性能が必要なところでは使用されにくい。しかし、本発明のように電気脱イオン式水処理装置からの湿分の低い副生水素を使用し利用することにより、脱硫剤の選定候補を多様化することができる。
【００２３】
（３）本発明のように、水処理方式として電気脱イオン式水処理装置を使用し、脱硫方式として水添脱硫を用いることにより、電気脱イオン式水処理装置及び水添脱硫装置の両者とも定期メンテナンスが不要となるため、メンテナンスコストの低減に寄与することができる。また、水素（Ｈ2）処理の不要化によるシステムフローの簡素化によるイニシャルコストを低減させ、脱硫剤をスルーするＨ2Ｓ濃度を低減させ、さらには、鉄系酸化物の使用による脱硫剤選定候補の多様化にも寄与することができる。
【００２４】
（４）ここで、上記脱硫剤との関係では、脱硫剤としては、亜鉛系酸化物、銅系酸化物および鉄系酸化物などが知られているが、そのうち安価な鉄系酸化物は脱硫剤スルー硫黄濃度が高く、燃料電池システムなど、高い脱硫性能が必要なところでは使用されにくい。しかし、本発明のように電気脱イオン式水処理装置からの湿分の低い副生水素を用いることにより適応できることから、脱硫剤の選定候補の多様化が期待できる。
【００２５】
（５）本発明によると、前述のとおり、ＰＥＦＣ等の燃料電池システムにおいて、電気脱イオン式水処理装置から排出される副生水素を水添脱硫に用いることで、水素の処理を不要化でき、システムフローを簡素化することができる。また、従来、燃料電池システムにおいて水添脱硫用水素ガスとして使用することが考えられている改質ガスと比較し、本発明によると、湿分の低い水素ガスを水添脱硫剤に供給できる。
【図面の簡単な説明】
【００２６】
【図１】図１はＰＥＦＣシステムを実機として構成する場合の態様例を説明する図である。
【図２】図２は電気脱イオン式水処理装置の例として特許文献１に記載の装置を説明する図である。
【図３】図３は図２に示す電気脱イオン式水処理装置からの電極水の水素を利用する態様を説明する図である。
【図４】図４は電気脱イオン式水処理装置の例として“電極水”と“濃縮水”を分けないか態様の燃料電池システムを使用する態様の装置を説明する図である。
【図５】図５は図４に示す電気脱イオン式水処理装置からの濃縮水の水素を利用する態様を説明する図である。
【発明を実施するための形態】
【００２７】
本発明（１）は、電気脱イオン式水処理装置の副生水素による水添脱硫方法である。そして、電気脱イオン式水処理装置を備える燃料電池システムにおいて、前記電気脱イオン式水処理装置において副生成物として発生する水素および酸素を当該電気脱イオン式水処理装置から別々のラインから排出し、前記排出水素を改質ガス生成用原料ガスの水添脱硫用の水素に利用することを特徴とする。
【００２８】
本発明（２）は、電気脱イオン式水処理装置の副生水素による水添脱硫システムである。そして、電気脱イオン式水処理装置を備える燃料電池システムにおいて、前記電気脱イオン式水処理装置において副生成物として発生する水素および酸素を当該電気脱イオン式水処理装置から別々のラインから排出し、前記排出水素を改質ガス生成用原料ガスの水添脱硫用の水素に利用するようにしてなることを特徴とする。
【００２９】
本発明（３）は、電気脱イオン式水処理装置の副生水素による水添脱硫システムを備える燃料電池システムである。そして、前記電気脱イオン式水処理装置において副生成物として発生する水素および酸素を当該電気脱イオン式水処理装置から別々のラインから排出し、前記排出水素を改質ガス生成用原料ガスの水添脱硫用の水素に利用するようにしてなることを特徴とする。
【００３０】
〈本発明の基本的態様〉
本発明は、電気脱イオン式水処理装置を備える燃料電池システムにおける、（１）燃料電池の原料ガスの電気脱イオン式水処理装置の副生水素による水添脱硫方法、（２）燃料電池の原料ガスの電気脱イオン式水処理装置の副生水素による水添脱硫システム、および、（３）燃料電池の原料ガスの電気脱イオン式水処理装置の副生水素による水添脱硫システムを備える燃料電池システムである。
【００３１】
そして、前記電気脱イオン式水処理装置からの水素含有濃縮水（または水素含有電極水）と酸素含有濃縮水（または酸素含有電極水）を別々に排出し、そのうち水素含有濃縮水（または水素含有電極水）の気液分離により、水素を分離し、分離水素を水添脱硫に用いることより水素の処理を不要化するとともに、水素を分離したドレン水を燃料電池システム内の他のドレン水とともにポンプで汲み上げ、電気脱イオン式水処理装置に供給することでシステムフローを簡素化するものである。
【００３２】
〈本発明の態様例１〉
図２〜３は本発明に係る電気脱イオン式水処理装置を備える燃料電池システムの態様例１を説明する図である。本態様で使用する電気脱イオン式水処理装置は、その例として図２に示す態様のもののほか、図４に示す態様など、各種態様の電気脱イオン式水処理装置を使用することができる。図２に示す態様は、濃縮水の流路のほかに、電極水の流路を備える態様である。
【００３３】
図２〜３において、電気脱イオン式水処理装置を作動すると、水素含有電極水と酸素含有電極水が生成する。水素含有電極水はドレンポットへ送り、気液分離する。ドレンポットで分離された気体である水素ガスは逆流防止対策としての逆流防止弁等を経て水添脱硫器へ送り、原料ガス（都市ガス、天然ガス、等）の水添脱硫用の水素として利用する。脱硫済み原料ガスは水蒸気改質器へ導入されて改質される。改質ガスはＣＯ変成器、ＣＯ除去器（＝ＣＯ選択酸化器）を経てＰＥＦＣへ送られ、ＰＥＦＣでの発電用燃料として使用される。
【００３４】
〈本発明の態様例２〉
図４〜５は本発明に係る電気脱イオン式水処理装置を備える燃料電池システムの態様例２を説明する図である。本態様で使用する電気脱イオン式水処理装置は、図４に示すとおりである。
【００３５】
図２では“電極水”と“濃縮水”が別々の経路となっているが、図４では“電極水”と“濃縮水”を別々の経路とせず、これらの経路を分けないこと前提とし、“濃縮水”の出口と図２で云う“電極水”の入口をつなぐ。図２で示してある“電極水”を“濃縮水”と分けない、つまり流路を連結して分けないので、電気脱イオン式水処理装置を備える燃料電池システムを簡素化することができる。
【００３６】
図４〜５において、電気脱イオン式水処理装置を作動すると、水素含有電極水と酸素含有電極水が生成する。水素含有電極水はドレンポットへ送り、気液分離する。ドレンポットで分離された気体である水素ガスは逆流防止対策としての逆流防止弁等を経て水添脱硫器へ送り、原料ガス（都市ガス、天然ガス、等）の水添脱硫用の水素として利用する。脱硫済み原料ガスは水蒸気改質器へ導入されて改質される。改質ガスはＣＯ変成器、ＣＯ除去器（＝ＣＯ選択酸化器）を経てＰＥＦＣへ送られ、ＰＥＦＣでの発電用燃料として使用される。
【００３７】
ドレンポットで分離された液体であるドレン水はドレンタンクへ送り、また電気脱イオン式水処理装置からの酸素含有電極水はそのままドレンタンクへ送られる。本態様に係る電気脱イオン式水処理装置を備える燃料電池システムにおいて、ドレンタンク中のドレン水をポンプで汲み上げ、電気脱イオン式水処理装置で処理し、処理水を燃料処理装置（水蒸気改質器）やＰＥＦＣスタック等の燃料電池スタックに供給する。
【００３８】
また、前述のとおり、図３に示す例では、陰極側の水素含有電極水はドレンタンクへ戻しているが、水自立が可能であれば（すなわち、電気脱イオン式水処理装置を備える燃料電池システム内で生成した水で、当該燃料電池システム内で使用する水を賄えるのであれば）、システム外へ排出することもできる。
【００３９】
電気脱イオン式水処理装置でのイオン交換樹脂の配置態様としては、図２、図４に示す態様のほか、左右のイオン交換膜間に、（１）カチオン交換樹脂のみを配置してカチオンだけ除去する態様、（２）アニオン交換樹脂のみを配置してアニオンだけ除去する態様、（３）カチオン交換樹脂とアニオン交換樹脂とをブレンド状態で充填してカチオンとアニオンを除去する態様その他、各種態様で構成されるが、本発明はそれらいずれの態様の場合についても適用される。
【００４０】
図２において、濃縮水Ｂ、電極水Ｃ、電極水Ｄとしては通常脱イオン水ａの一部が使用される。この点、図２に対応する図３中の電気脱イオン式水処理装置についても同様である。また、図４において、濃縮水Ｂとしては通常脱イオン水ａの一部が使用される。この点、図４に対応する図５中の電気脱イオン式水処理装置についても同様である。
【実施例】
【００４１】
以下、実施例を基に本発明をさらに詳しく説明するが、本発明が実施例に限定されないことはもちろんである。
【００４２】
水添脱硫方式では、都市ガス中の硫黄成分が、下記式（１）の反応でＨ2Ｓになり、下記式（２）のように脱硫剤（ＺｎＯ、Ｆｅ3Ｏ4など）と反応することにより、化学吸着される。したがって、都ガス中に含まれる硫黄成分に対して、電気脱イオン式水処理装置から発生する副生水素が、十分な量を有することを示す。
【化１】
0005836783.tif 000002
【００４３】
まず、電気脱イオン式水処理装置から副生される水素量を示す。この水素量は、印加電流によって、下記のように導かれて算出される。ここでは、印加電流の値を、ＮＥＤＯの「家庭用燃料電池システム関連補機類の共通仕様リストｐ．２８」で「目標消費電力が３［Ｗ］、電圧が２４±１０％［Ｖ］となっていることから、３［Ｗ］×２４［Ｖ］＝０．１２５［Ａ］となり、０．１２５［Ａ］と設定する。
【００４４】
電気脱イオン式水処理装置の印加電流が０．１２５［Ａ］のとき、１分間で流れる電子は、０．１２５［Ａ］×６０［ｓｅｃ］＝７．５［Ｃ］となる。（定義：１Ｃ＝１Ａ×１ｓｅｃであるから）
【００４５】
水分解反応では、陰極で（３）式、および、陽極で（４）式に示した電子の移動が起こる。
【化２】
0005836783.tif 000003
【００４６】
（３）式より、電子１ｍｏｌの移動に伴い、１／２ｍｏｌのＨ2が発生する。よって、このとき発生する１分間当たりの水素量は、下記式のとなる（ファラデー定数＝９６５００［Ｃ／ｍｏｌ］）。すなわち、３．９×１０-5［ｍｏｌ／ｍｉｎ］の水素が発生する。
【数１】
0005836783.tif 000004
【００４７】
一方、都市ガス中に含まれる硫黄成分を、一般的な値として５［ｍｇ／ｍ3］（＝１．５６×１０-7）ｍｏｌ／Ｌ］）と設定する。
【００４８】
また、都市ガス流量を、家庭用燃料電池システムの定格運転時（７５０Ｗ）を想定して３［Ｌ／ｍｉｎ］とすると、脱硫装置に流入する１分間当たりの硫黄量は、
【数２】
0005836783.tif 000005
となる。すなわち、４．７×１０-7［ｍｏｌ／ｍｉｎ］の硫黄が発生する。
【００４９】
したがって、都市ガス中に含まれる硫黄成分４．７×１０-7［ｍｏｌ／ｍｉｎ］に対し、約１００倍の水素（３．９×１０-5［ｍｏｌ／ｍｉｎ］）を供給できることになる。このように、式（１）の反応：Ｈ2＋ＲＳ→Ｈ2Ｓ＋ＲＨは十分に進行するため、燃料電池システムにおいて脱硫方法及び脱硫システムとして適用できるものである。
【００５０】
前述のとおり、水添脱硫方式においては、都市ガス中の硫黄成分が（１）の反応でＨ2Ｓになり、（２）のように脱硫剤（ＺｎＯ、Ｆｅ3Ｏ4など）と反応することにより化学吸着される。上記のとおり、都ガス中に含まれる硫黄成分に対して、電気脱イオン式水処理装置から発生する副生水素が、十分な量を有することが明らかである。
【符号の説明】
【００５１】
１  カチオン交換膜
２  アニオン交換膜
３  アニオン交換樹脂
４  カチオン交換樹脂
５  脱塩室
６  濃縮室
７  陰極
８  陽極
９  仕切膜
１０  陰極室
１１  陽極室
Ａ  被処理水入口
ａ  脱イオン水流出口
Ｂ  濃縮水流入口
ｂ  濃縮水流出口
Ｃ  電極水流入口
ｃ  電極水流出口
Ｄ  電極水流入口
ｄ  電極水流出口
【図１】
0005836783.tif 000006
【図２】
0005836783.tif 000007
【図３】
0005836783.tif 000008
【図４】
0005836783.tif 000009
【図５】
0005836783.tif 000010